(57)【要約】【課題】可動物が所有者の意思とは無関係に、何らかの理由でその場所を移動した場合、該所有者に対して、該可動物が元存在していた場所から移動したことをＧＰＳ衛星および携帯電話システムを利用して通報するシステムを提供する。【解決手段】可動物が所有者の意思とは無関係に、何らかの理由でその場所を移動した場合、該可動物が元存在していた場所から移動したことを、ＧＰＳ衛星や携帯電話システムを利用した位置移動警報システムにより、該可動物内に設置された位置情報監視・警報端末（子機）４から、警報センターやサービスセンター等、第三者機関を経由することなく、携帯電話回線を利用して、自動的、且つ直接的に、該所有者のＧＰＳ位置情報処理機能付き携帯電話端末（親機）２に通報する。【選択図】図１
2004227384.tif 000002
【特許請求の範囲】
【請求項１】
可動物の所有者が、該可動物を自らの監視範囲外に配置または保管しているときに、該可動物が盗難等、該所有者の意思とは無関係にその場所を移動した場合、該可動物が元存在していた場所から移動したことを、該可動物内に設置された、ＧＰＳ衛星からの位置情報受信機能、携帯電話受信機能および自動発信機能を有する位置情報監視・警報端末から、警報センターやサービスセンター等、第三者機関を経由することなく、自動的、且つ直接的に、該所有者のＧＰＳ位置情報処理機能付き携帯電話端末に対して、警報信号および新位置情報を通報することを特徴とする位置移動警報システム。
【請求項２】
可動物の所有者が、該可動物を自らの監視範囲外に配置または保管しているときに、該可動物が盗難等、該所有者の意思とは無関係にその場所を移動した場合、該可動物が元存在していた場所から移動したことを、該可動物内に設置された、ＧＰＳ衛星からの位置情報受信機能、携帯電話受信機能および自動発信機能を有する位置情報監視・警報端末から、警報センターやサービスセンター等、第三者機関を経由することなく、自動的、且つ直接的に、該所有者のＧＰＳ位置情報処理機能付き携帯電話端末に対して、警報信号および新位置情報を通報する位置移動警報システムであって、予め設定された時間毎に、ＧＰＳ衛星からの位置情報を受信・記憶し、該可動物の所有者の有するＧＰＳ位置情報処理機能付き携帯電話端末から指示された時点での、初期設定位置情報とＧＰＳ衛星から新たに受信した位置情報とを自動的に比較して、その差が予め設定された誤差範囲を超えた場合には、該所有者の前記ＧＰＳ位置情報処理機能付き携帯電話端末に対して、携帯電話回線を通して自動的に発信接続し、警報信号および新位置情報を送出することを特徴とする位置移動警報システム。
【発明の詳細な説明】
【０００１】
【発明の属する技術分野】自動車、バッグ等の可動物の所有者が、該可動物を自らの監視範囲外に配置または保管しているときに、該可動物が該所有者の意思とは無関係に、何らかの理由でその場所を移動した場合、該所有者に対して、該可動物が元存在していた場所から移動したことをＧＰＳ（グローバル・ポジショニング・システム）衛星および携帯電話システムを利用して通報するシステムに関するものである。
【０００２】
【従来の技術】従来から、ＧＰＳや携帯電話システムを利用した位置情報通報システムは、種々の形態で使用されているが、位置情報受信者と位置情報発信端末（以下、端末という）との間に、警報センターやサービスセンター等、第三者機関を経由して情報伝達がなされる形態が多く、また、第三者機関を経由しない場合であっても、端末側から端末位置の変動を自動的に通報するシステムはなかった。
【０００３】
【発明が解決しようとする課題】前記従来の警報センターやサービスセンター等、第三者機関を経由して情報伝達がなされる場合、相当な費用と手間が掛かり、また手軽に利用しがたいという課題があった。
【０００４】本発明は、前記課題を解決すべくなされたもので、自動車、バッグ等の可動物の所有者が、該可動物を自らの監視範囲外に配置または保管しているときに、該可動物が該所有者の意思とは無関係に、何らかの理由でその場所を移動した場合、該可動物が元存在していた場所から移動したことを、ＧＰＳや携帯電話システムを利用した位置移動警報システムにより、該可動物内に設置された位置情報監視・警報端末（以下、子機という）から、警報センターやサービスセンター等、第三者機関を経由することなく、携帯電話回線を利用して、自動的、且つ直接的に該所有者のＧＰＳ位置情報処理機能付き携帯電話端末（以下、親機という）に対して通報するシステムを提供するものである。
【０００５】
【課題を解決するための手段】本発明は、可動物の所有者が、該可動物を自らの監視範囲外に配置または保管しているときに、該可動物が盗難等、該所有者の意思とは無関係にその場所を移動した場合、該可動物が元存在していた場所から移動したことを、該可動物内に設置された、ＧＰＳ衛星からの位置情報受信機能、携帯電話受信機能および自動発信機能を有する位置情報監視・警報端末から、警報センターやサービスセンター等、第三者機関を経由することなく、自動的、且つ直接的に、該所有者のＧＰＳ位置情報処理機能付き携帯電話端末に対して、警報信号および新位置情報を通報するという手段、または、
可動物の所有者が、該可動物を自らの監視範囲外に配置または保管しているときに、該可動物が盗難等、該所有者の意思とは無関係にその場所を移動した場合、該可動物が元存在していた場所から移動したことを、該可動物内に設置された、ＧＰＳ衛星からの位置情報受信機能、携帯電話受信機能および自動発信機能を有する位置情報監視・警報端末から、警報センターやサービスセンター等、第三者機関を経由することなく、自動的、且つ直接的に、該所有者のＧＰＳ位置情報処理機能付き携帯電話端末に対して、警報信号および新位置情報を通報する位置移動警報システムであって、予め設定された時間毎に、ＧＰＳ衛星からの位置情報を受信・記憶し、該可動物の所有者の有するＧＰＳ位置情報処理機能付き携帯電話端末から指示された時点での、初期設定位置情報とＧＰＳ衛星から新たに受信した位置情報とを自動的に比較して、その差が予め設定された誤差範囲を超えた場合には、該所有者の前記ＧＰＳ位置情報処理機能付き携帯電話端末に対して、携帯電話回線を通して自動的に発信接続し、警報信号および新位置情報を送出するという手段、
を採用することにより、上記課題を解決した。
【０００６】
【発明の実施の形態】本発明は、自動車、バッグ等の可動物の所有者が、該可動物を自らの監視範囲外に配置または保管しているときに、該可動物が該所有者の意思とは無関係に、何らかの理由でその場所を移動した場合、該可動物が元存在していた場所から移動したことを、ＧＰＳや携帯電話システムを利用した位置移動警報システムにより、該可動物内に設置された位置情報監視・警報端末（以下、子機という）から、警報センターやサービスセンター等、第三者機関を経由することなく、携帯電話回線を利用して、自動的、且つ直接的に、該所有者のＧＰＳ位置情報処理機能付き携帯電話端末（以下、親機という）に対して通報するシステムである。
【０００７】図１は、本発明位置移動警報システムのネットワーク構成図を示す。すなわち、自動車、バッグ等の可動物の所有者は、ＧＰＳ衛星１１−１ｎからの位置情報を処理する機能を有する親機２により、携帯電話会社のネットワーク（携帯電話基地局３１−３ｎ）を利用し、自動車、バッグ等の可動物に設置された子機４との間で、携帯電話回線を利用した特定の通信を行うものである。親機２と子機４との通信は、前記携帯電話会社のネットワークが利用できる地域であれば、全国どこからでも可能である。また、前記親機２は１台で、複数台の子機４１−４ｎとそれぞれ通信を行うことも可能である。
【０００８】図２は、本発明位置移動警報システを構成する子機の機器構成を示すブロック図である。すなわち、子機４は複数のＧＰＳ衛星１１−１ｎからの電波をＧＰＳ信号受信部で受信して、位置データ検出部で該子機４自身の位置情報を検出し、検出した位置データを位置データ記憶部のメモリーに記録する機能を有する。一方、親機２からの携帯電話信号受信は、携帯電話受信部で行い、また、携帯電話回線を利用した親機２への自動発信は、携帯電話自動発信部で行う。
【０００９】携帯電話受信部で受信した親機２からの指示情報は、受信データ解析部で内容を解析し、データ制御部で内容に応じた制御を行う。子機４が親機２から初期設定信号を受信した場合には、データ制御部は、位置データ記憶部に対し最新位置データを初期設定メモリーに記憶するように指示すると共に、位置データ検出部に対し、引き続き検出される新しい位置データと、初期設定位置データを位置データ比較部で差分比較するように指示する。
【００１０】位置データ比較部において、差分比較結果が予め定められた値（例えば、５０ｍ）を超えているときは、データ制御部は警報信号発信部に対し、警報信号と最新位置データを携帯電話自動発信部に送るように指示する。
【００１１】警報信号発信部から、情報を受信した携帯電話自動発信部は、携帯電話回線に自動発信して親機２を呼び出し、警報信号と子機４の最新位置情報を送信する。なお、時計部及び電力供給部は、前記各ブロックにクロック信号及び電力を供給するための共通ブロックである。
【００１２】次に、本発明位置移動警報システムのフローチャートを図３に示す。自動車、バッグ等の可動物の所有者は、盗難等、所有者の意思に反して、何らかの理由で、所定の位置から移動したら困る可動物を監視するため、該可動物の中に監視端末（子機）４を設置する。該可動物に設置された子機４は、電源を入れた初期状態では一定時間毎（例えば、３０分毎）に、ＧＰＳ衛星１からの信号を受信し、自己の位置情報を記憶しておく状態を継続する待機モードに入る（ステップ０）。
【００１３】前記ステップ０の待機モードの状態において、自動車、バッグ等の可動物の所有者は、子機４を監視モードに設定するために、携帯電話端末（親機）２を使用して、子機４に対し位置情報の初期設定信号を送信する（ステップ１）。前記ステップ１において、親機２から初期設定信号を受信した子機４は、それまでＧＰＳ衛星１１−１ｎから受信していた自己の最新位置情報を、初期設定値として初期設定メモリーに登録する（ステップ２）。
【００１４】前記ステップ２において、初期設定メモリーに最新位置情報を登録した子機４は、親機２に対して位置情報の初期設定完了信号を自動送信し、監視モードに入る（ステップ３）。そして、前記子機４からの初期設定完了信号を受信した親機２により、子機４が監視モードに入ったことを確認した該所有者は、子機４との回線を切断し待機する（ステップ４）。
【００１５】一方、前記監視モードに入った子機４は、予め設定された一定時間（例えば、１０分）毎にＧＰＳ衛星１１−１ｎからの信号を受信し、自己の位置データを算出の上、初期設定された位置データとの差分比較を実施する（ステップ５）。前記ステップ５において、子機４は、位置データの差分比較の結果（ステップ６）、差分比較の距離が、初期設定値の位置から予め設定された値（ＧＰＳの誤差を考慮し、例えば、５０ｍ）の設定範囲内であれば、引き続き前記ステップ５の動作を繰り返す。もし、位置データの差分比較の結果が、予め設定された値を超えている場合（設定範囲外）には、次のステップ７へ移行する。
【００１６】前記ステップ６における位置データの差分比較の結果が、予め設定された値を超えている場合、子機４が親機２との間で携帯電話回線が設定されていないときには、親機２を自動的に呼び出し、または、子機４が親機２との間で携帯電話回線が設定されているときには、回線を保留した状態で、子機４から親機２に対して、位置情報の初期設定値と最新値が異なることを知らせる警報信号と、最新の子機４の位置情報を送信して、警報モードに入る（ステップ７）。
【００１７】前記ステップ７で、警報モードに入った子機４は、親機２から新たな指示が来るまでは、前記ステップ５以下の処理を繰り返し、その都度最新位置情報の履歴を記憶保存しておく（ステップ８）。前記ステップ７において、子機４から警報信号と最新の子機４の位置情報を受信した親機２により、子機４が警報モードにあることを確認した該所有者は、子機４の最新位置情報を親機２の地図情報処理機能等で確認する（ステップ９）。
【００１８】そして、該所有者が、子機４の最新位置情報を新たに初期設定値として再設定する・「ＹＥＳ」の場合には、子機４に対し該子機４の最新位置情報を初期設定値として再設定する信号を送信する（ステップ１０）。前記ステップ１０により、親機２から子機４の最新位置情報を初期設定値として再設定する信号を受信した子機４は、それまでに受信した自己の最新位置情報を初期設定値として初期設定メモリーに設定し直し、引き続き警報モードを維持する（ステップ１１）。
【００１９】一方、ステップ９において、該所有者が、子機４の最新位置情報を確認後、ステップ１０における子機４に対して新位置情報の設定を指示しない・「ＮＯ」で、更に子機４の最新位置情報を継続して入手したい場合には、子機４との間の携帯電話回線はそのまま保留した状態で警報モードを維持する（ステップ１２）。
【００２０】そして、該所有者が、ステップ１２において、ステップ７で設定された子機４の警報モードを解除したい・「ＹＥＳ」の場合には、親機２から子機４に対し警報モード解除信号を送信して携帯電話回線を切断し（ステップ１３）、初期状態（スタート）に移行する。
【００２１】更に、前記ステップ１２において、警報モードを解除しない・「ＮＯ」の場合、警報モードに入った子機４は、親機２から新たな指示が来るまでは、前記ステップ５以下の処理を繰り返し、その都度最新位置情報の履歴を記憶保存しておく。
【００２２】最後に、前記ステップ１３において、親機２から警報モード解除信号を受信した子機４は、初期設定情報をクリアし、待機モードに移行し（ステップ１４）、ステップ０の状態に戻る。
【００２３】すなわち、本発明位置移動警報システムによれば、自動車、バッグ等の可動物の所有者が監視対象にしたい該可動物の中に子機４を設置し、該子機４を待機状態に設定する。
【００２４】前記自動車、バッグ等の可動物内に設置された子機４は、定期的（予め設定された時間毎、例えば３０分毎）にＧＰＳ衛星１１−１ｎからの電波を受信し、自己の位置情報を認識・記憶しておく。
【００２５】そして、該所有者が、子機４を監視モードに設定したいときには、ＧＰＳ衛星１１−１ｎからの位置情報を処理する機能を有する親機２を用いて、携帯電話回線を利用し、前記子機４に対して位置情報初期設定指示信号を送出する。前記親機２から位置情報初期設定指示信号を受信した子機４は、それまで記憶しておいた最新の位置情報を初期設定値として初期設定メモリーに登録し、引き続き定期的（予め設定された時間毎、例えば１０分毎）にＧＰＳ衛星１１−１ｎからの電波を受信し、その都度該初期設定値と位置のずれを比較する。
【００２６】もし、該比較結果が、予め設定された誤差範囲（例えば５０ｍ）を超えた場合には、携帯電話回線に自動発信して親機２と接続し、該親機２に対して直接警報信号および新位置情報を発出することにより、該可動物が元存在していた場所から移動したことを該可動物所有者に通報する。そして、前記通報により、可動物が元存在していた場所から移動したことを知った可動物所有者は、可動物が盗難にあったことが推定されるので、直ちに警察にその事実を通報して、可動物の盗難に対する対応が迅速にできる。
【００２７】
【発明の効果】本発明位置移動警報システムは、自動車、バッグ等の可動物の所有者が、該可動物を自らの監視範囲外に配置または保管しているときに、盗難等、該可動物が該所有者の意思とは無関係に、何らかの理由で元の場所から移動した場合、該可動物が元存在していた場所から移動したことを、ＧＰＳや携帯電話システムを利用した位置移動警報システムにより、該可動物内に設置された子機から、第三者機関で構成される警報センターやサービスセンター等を経由することなく、自動的、且つ直接的に、所有者に対して通報するシステムであるので、直ちに可動物の盗難の事実を警察に通報して迅速に対応できると共に、取り扱いが簡単で、且つ経済的なシステムを提供することが可能となる。
更に、本発明位置移動警報システムは、複数個の子機識別信号を採用することにより、複数個の子機を１個の親機で同時に監視することができると共に、ＧＰＳ衛星からの信号が受信でき、且つ携帯電話回線が利用可能な地域なら場所を問わず使用することができ、極めて経済的なシステムを構築可能である。
【図面の簡単な説明】
【図１】本発明位置移動警報システムのネットワーク構成図である。
【図２】本発明位置移動警報システムを構成する子機の機器構成を示す説明図である。
【図３】本発明位置移動警報システムのフローチャートである。
【符号の説明】
１１−１ｎ  ＧＰＳ衛星、  ２  ＧＰＳ位置情報処理機能付き携帯電話端末（親機）、  ３１−３ｎ  携帯電話基地局、  ４１−４ｎ  位置情報監視・警報端末（子機）。
【図１】
2004227384.tif 000003
【図２】
2004227384.tif 000004
【図３】
2004227384.tif 000005